(57)【要約】【課題】時間や予定などの条件に応じて、いつも使用している配置にコンテンツを表示することができるコンテンツ表示装置を提供する。【解決手段】コンテンツ表示装置（１００）は、コンテンツの配置を選択するための条件と共に、コンテンツの配置情報を記憶する配置情報記憶手段（１０２）と、コンテンツの配置表示の指示を出す配置指示手段と（１０４）、その指示を受け、前記配置情報記憶手段（１０２）に記憶している前記条件に合致した配置情報に基づき、コンテンツを表示させる制御を行う制御手段（１０６）と、を有する。【選択図】図１
2015005005.tif 000002
【特許請求の範囲】
【請求項１】
コンテンツの配置を選択するための条件と共に、コンテンツの配置情報を記憶する記憶手段と、
コンテンツの配置表示の指示を出す配置指示手段と、
その指示を受け、前記記憶手段に記憶されている前記条件に合致した配置情報に基づき、コンテンツを表示させる制御を行う制御手段と、
を有することを特徴とするコンテンツ表示装置。
【請求項２】
前記制御手段は、表示されているコンテンツの前記条件を示す情報を表示することを特徴とする請求項１に記載のコンテンツ表示装置。
【請求項３】
前記記憶手段は、一条件下で複数の配置情報を記憶し、
前記配置指示手段からの指示により、前記記憶手段に記憶されている配置情報を順番に切り替えることを特徴とする請求項１又は２に記載のコンテンツ表示装置。
【請求項４】
前記制御手段は、前記条件が変わる際に前記記憶手段に記憶されている配置情報に基づきコンテンツ配置を変更する場合、利用者に変更を通知することを特徴とする請求項１から３のいずれか１項に記載のコンテンツ表示装置。
【請求項５】
前記制御手段は、コンテンツの配置情報を変更した場合に、前記記憶手段に記憶されている配置情報と異なる配置となったコンテンツを、前記記憶手段に記憶されている配置情報と同じ配置のコンテンツとは異なる表示とすることを特徴とする請求項１から３のいずれか１項に記載のコンテンツ表示装置。
【請求項６】
前記制御手段は、表示コンテンツの変更が行われた場合、前記記憶手段に記憶されている配置情報を変更されたコンテンツの配置情報に変更することを特徴とする請求項５に記載のコンテンツ表示装置。
【発明の詳細な説明】
【技術分野】
【０００１】
本発明は、複数のコンテンツを同時に表示するコンテンツ表示装置に関する。
【背景技術】
【０００２】
近年、コンピュータやＡＶ装置などコンテンツを表示する様々な装置において、大画面化が進んでいる。今までの中小画面での操作においては多くてもたかだか数枚のウィンドウを表示して操作するだけであったが、大画面での操作となると、多数のウィンドウを表示させてそこにコンテンツを表示することが考えられる。
【０００３】
ここで多数のウィンドウを表示させることになるが、現行のシステムでは利用者がひとつずつアプリケーションを起動し、ウィンドウ位置やサイズを調整して用いることになる。この複数ウィンドウでの操作性を高めるための方法が特許文献１に開示されている。
【先行技術文献】
【特許文献】
【０００４】
【特許文献１】特開平１１−２８２６０１号公報
【発明の概要】
【発明が解決しようとする課題】
【０００５】
従来の方法では利用者は起動のたびに各種アプリケーションを開き、位置、サイズの設定を行わなければならない。特許文献１に記載の方法では、設定保存ボタンを設け、現在のウィンドウの位置やサイズを記憶、表示指示により保存していた位置、サイズでウィンドウを表示するようになっている。また、特許文献１においてはこれらの保存を複数設けることができるようになっている。
【０００６】
しかしながら、それぞれどのボタンにどういう配置を設定しているか、については利用者が把握した上で使用しなければならない。また、通常の利用方法であれば、出社後、午後、帰宅前など、時間やシチュエーション、予定に応じて使用するアプリケーションは異なるが、従来例であれば朝の設定を１番、午後が２番、など、いつどういう状態でどのボタンを押す必要があるか、ということについてまで、利用者に理解を強いることになる。
【０００７】
本発明は、このような課題に鑑み、時間や予定などの条件に応じて、いつも使用している配置にコンテンツを表示することができるコンテンツ表示装置を提供することを目的とする。
【課題を解決するための手段】
【０００８】
本発明は、コンテンツの配置を選択するための条件と共に、コンテンツの配置情報を記憶する記憶手段と、コンテンツの配置表示の指示を出す配置指示手段と、その指示を受け、前記記憶手段に記憶されている前記条件に合致した配置情報に基づき、コンテンツを表示させる制御を行う制御手段と、を有することを特徴とするコンテンツ表示装置である。
【０００９】
前記制御手段は、表示されているコンテンツの前記条件を示す情報を表示することを特徴とする。
【００１０】
前記記憶手段は、一条件下で複数の配置情報を記憶し、前記配置指示手段からの指示により、前記記憶手段に記憶されている配置情報を順番に切り替えることを特徴とする。
【００１１】
前記制御手段は、前記条件が変わる際に前記記憶手段に記憶されている配置情報に基づきコンテンツ配置を変更する場合、利用者に変更を通知することを特徴とする。
【００１２】
前記制御手段は、コンテンツの配置情報を変更した場合に、前記記憶手段に記憶されている配置情報と異なる配置となったコンテンツを、前記記憶手段に記憶されている配置情報と同じ配置のコンテンツとは異なる表示とすることを特徴とする。
【００１３】
前記制御手段は、表示コンテンツの変更が行われた場合、前記記憶手段に記憶されている配置情報を変更されたコンテンツの配置情報に変更することを特徴とする。
【発明の効果】
【００１４】
本発明によれば、よく使うコンテンツについて、利用者が毎回表示位置を指定することなく、予め設定した条件に応じてコンテンツをいつも使っている配置位置に再現することができる。
【図面の簡単な説明】
【００１５】
【図１】コンテンツ表示装置の一構成を示すブロック図である。
【図２】コンテンツ表示装置における画面例を示す図である。
【図３】実施例１における配置情報記憶手段に格納されている配置情報を示す図である。
【図４】実施例１におけるコンテンツ表示を示す図である。
【図５】実施例１におけるコンテンツ表示の処理を示すフローチャートである。
【図６】実施例２における配置情報記憶手段１０２に格納された配置情報を示す図である。
【図７】実施例２におけるコンテンツ表示を示す図である。
【図８】実施例３におけるコンテンツ配置変更通知を示す図である。
【図９】実施例４における編集中のコンテンツの表示を示す図である。
【図１０】実施例５におけるコンテンツ配置変更を示す図である。
【図１１】実施例５におけるコンテンツの配置変更処理を示すフローチャートである。
【発明を実施するための形態】
【００１６】
以下、本発明の実施の形態を添付図面を参照して説明する。
【００１７】
図１は、コンテンツ表示装置の一構成を示すブロック図である。
コンテンツ表示装置１００は、コンテンツやアプリケーションを格納する格納手段１０１、コンテンツの配置位置やサイズなどの配置情報を記憶する配置情報記憶手段１０２、コンテンツ表示の判断規準となる条件を検出する条件検出手段１０３、配置情報記憶手段１０２に記録された配置情報に従って配置を行うよう利用者が指示をする配置指示手段１０４、コンテンツの配置変えやその他の処理指示などを行う操作手段１０５、配置指示に従ってコンテンツを配置して表示する制御や処理制御を行う制御手段１０６、コンテンツを表示する表示手段１０７を有する。
【００１８】
格納手段１０１及び配置情報記憶手段１０２は、例えば、ハードディスク、メモリなどからなるものである。
条件検出手段１０３は、本実施例では計時装置（時計）であるが、これに限るわけではなく、設定された条件を検出できるセンサなどである。
配置指示手段１０４は、表示手段１０７の画面上にソフトウェアボタンを設けたり、ハードウェアでボタンを設けたり、配置指示手段１０４を別の装置のリモコンとし、遠隔操作を行うようにしてもよい。
操作手段１０５は、マウス、キーボード、タッチパネルによる表示キーなどである。上記の配置指示手段１０４も操作手段１０５に含まれるものであるが、本発明の特徴部分である配置指示を行う装置として別に記載し、操作手段１０５は、それ以外の操作を行うものとする。
制御手段１０６は、ＣＰＵなどからなり、各部の制御を行う。
表示手段１０７は、液晶パネルや有機ＥＬなどの表示装置であり、コンテンツ表示装置１００の外部に配置されるものでもよい。
【００１９】
図２は、コンテンツ表示装置における画面例を示す図である。
起動直後には図２（ａ）のように表示手段１０７における起動時の画面と、配置指示手段１０４が表示されている。ここで、起動時の画面は何かコンテンツが表示されていても構わない。
【００２０】
配置指示手段１０４を押下すると、図２（ｂ）のように配置情報記憶手段１０２に記憶されている条件に合致する場合には、コンテンツの配置情報に基づいて各コンテンツが表示される。図２（ｂ）には、電子メールの新着一覧１１０、新着メール本文１１１、作業フォルダＡ１１２、作業フォルダＢ１１３、などのコンテンツが表示されている。作業フォルダＡ，Ｂにおいては、映像ファイルや音楽ファイルなどが格納されている各ファイルの一覧表を表示する。このとき、配置位置、サイズだけではなく、配置情報記憶手段１０２に画面の傾きを配置情報として記憶しておくことで、コンテンツ表示に、傾きを持たせて表示することも可能である。また、この例ではすべて矩形の表示となっているが、様々な形でのコンテンツを表示することも可能である。
【００２１】
また、各コンテンツがそれぞれ別のアプリケーションで動作するようにしてもよいし、複数のコンテンツを表示するひとつのアプリケーションとして実装し、このアプリケーションの中で、各コンテンツを任意の位置、サイズで表示するようにしてもよい。
【００２２】
次に、条件に応じて、予め対応付けたコンテンツ配置を選択して表示する実施例について説明する。
【００２３】
＜実施例１＞
図３は、実施例１における配置情報記憶手段に格納されている配置情報を示す図である。
配置情報記憶手段１０２には、配置のための条件と、配置情報とが記憶されている。図３（ａ）では、朝；６：００−１２：００の間には配置情報１、昼；１２：００−１８：００の間には配置情報２、夜；１８：００−２４：００までは配置情報３、条件に当てはまらない場合には配置情報４、が使用されるよう記憶されている。この例では時間を条件としているが、特定のコンテンツが表示されているときや、予定表の中に予定が組み込まれているとき、などの条件を指定してもよい。例えば会議の予定があるときには設定された配置情報に基づいて会議資料を表示する、なども可能となる。
【００２４】
図３（ｂ）には、配置情報１の情報内容を示す。配置情報としては、使用アプリケーション、引数、開始座標、コンテンツの表示サイズ、コンテンツの表示傾き（右回りを＋）、表示個数、重なりの程度、を項目とする。ここには、表示コンテンツが、どのアプリケーションによって処理され、どの位置に配置するかが記載されている。
図３（ｂ）では配置情報として引数を一つ付与しているが、引数の個数は可変とすることも可能である。また、配置情報として傾きや個数も記載できるようにしている。
例えば新着のメール本文１１１はその時々において複数表示する必要がある場合もあるが、このときの最大個数を指定できる。複数表示する場合には、まったく同じ場所、同じサイズで表示すると背面のコンテンツの内容が隠れてしまうため、最初の配置から少しずらして表示する。重なりの列にはこの重なり具合を指定している。ここでは大・中・小などを指定し、表示個数、空き領域から計算して配置するようにしているが、位置、大きさ、傾きの増減値を設定できるようにしておいてもよい。
作業フォルダＡ，Ｂも、メール本文１１１と同様である。
【００２５】
ここで、配置指示手段１０４の表示について記載する。図２においては配置指示と書かれたボタンが表示されていたが、この配置指示については、そのボタンが押されたときに適用される条件が利用者に視認できる形で表示されていてもよい。
【００２６】
例えば、図３に示す配置情報記憶手段１０２に格納された配置情報であれば、図４のように、条件（時間）に応じて表示が順次変わる。図４（ａ）は、図３の配置情報１に基づくものであり、図２（ｂ）と同じ図となる。このとき配置指示手段１０４には「朝」と表示される。図４（ｂ）、（ｃ）は、図３の配置情報２，３に基づくものであり、図４（ａ）とは全く異なるコンテンツが表示される。図４（ｂ）ではコンテンツＡ１１４、コンテンツＢ１１５，コンテンツＣ１１６が表示され、配置指示手段１０４には「昼」と表示される。図４（ｃ）ではコンテンツＤ１１７、コンテンツＥ１１８が表示され、配置指示手段１０４には「夜」と表示される。
【００２７】
このように、配置指示手段１０４に、コンテンツ配置を行った条件を示す情報が表示されるので、利用者がどの条件の配置であるかが分る。
【００２８】
この例では条件の文字が一文字（朝、昼、夜）のアイコンとして表示されたが、条件を示す内容が多い場合などはそのボタンにポインタなどを近づけたり、選択した状態になったときに、配置条件を詳細に表示するようにしてもよい。さらに配置指示手段１０４への表示についても文字ではなく、アイコンや色など分かりやすいものにしてもよい。これらの情報は配置情報記憶手段１０２に記憶されている配置情報から生成される。
【００２９】
図５は、図４のコンテンツ表示の処理を示すフローチャートである。
制御手段１０６は、利用者が配置指示手段であるボタン１０４をオンしたかどうかを確認する（ステップＳ１）。ボタン１０４をオンしていた場合（ステップＳ１；Ｙｅｓ）、配置情報記憶手段１０２から表示判断に必要な条件を読み出す。そして条件検出手段１０３により検出して（ステップＳ２）、条件に合致する配置情報を配置情報記憶手段１０２から取得する（ステップＳ３）。制御手段１０６は、配置情報に基づいて表示するコンテンツのデータを格納手段１０１から取得する（ステップＳ４）。制御手段１０６は、コンテンツとその配置情報に基づいて表示手段１０７にコンテンツを表示する（ステップＳ５）。
【００３０】
こうして、条件に合致した配置情報に基づいてコンテンツを表示するので、毎日使うコンテンツなどについて、毎回表示位置を指定することなく、配置指示手段としてワンボタンを操作することで、いつも使っている配置位置に再現することができる。
【００３１】
コンテンツ表示に関して、例えば番号１〜５などによって、複数の設定を記憶できるようになっているものがあるが、どの番号にどの配置が入っているかが分からなくなり、表示させて確認しなければならなくなる。上記実施例では、配置情報に再現するための条件がついているため、利用者がコンテンツの表示配置を確認することなく、コンテンツ表示装置が、例えば朝であれば朝のレイアウト、昼であれば昼のレイアウトを自動的に再現することが可能になる。
【００３２】
＜実施例２＞
図３においてはひとつの条件にひとつの配置情報のみが関連付けられているが、複数の配置情報を関連付けることも可能である。この場合の配置情報記憶手段に記憶されている配置情報を図６、図７に示す。図６は、実施例２における配置情報記憶手段１０２に格納された配置情報を示す図である。この例では、配置情報記憶手段１０２に、時間；６：００〜１２：００の場合において、朝１、朝２、朝３の３つの配置情報が記憶され、時間；１８：００〜２４：００の場合において、夜１、夜２の２つの配置情報が記憶されている。このように一つの条件に複数の配置情報が記憶されている場合は、配置情報記憶手段１０２に記憶されている順に表示されるので、まずは朝１、夜１などが最初に表示される。
【００３３】
図７は、時間；６：００〜１２：００の場合、ボタン（配置指示手段１０４）を押したときのコンテンツ表示を示す図である。図７の（ａ）、（ｂ）、（ｃ）に示すコンテンツは、ボタン１０４に表示される条件を除けば、図４の（ａ）、（ｂ）、（ｃ）に示すコンテンツと同じである。
【００３４】
時間が６：００〜１２：００の場合に、制御手段１０６は、図５のフローチャートに従って、図６の「朝１」の配置情報に基づきコンテンツを表示する（図７（ａ）参照）。ボタン１０４には、表示したコンテンツの配置情報として「朝１」が表示される。ここで、利用者がボタン１０４を押すと、ボタンを押す毎に図７の（ａ）⇒（ｂ）⇒（ｃ）と配置が切り替わる。図７（ｂ）は配置情報；朝２、図７（ｃ）は配置情報；朝３に基づくコンテンツ表示である。ボタン１０４には、表示したコンテンツの配置情報として「朝２」、「朝３」が表示される。（ｃ）の状態で再度ボタンを押した場合、再び図７の（ａ）の配置に切り替わる。切替えの方法については、図７では配置指示手段１０４を押す毎としたが、図示はしないが、別途キーを設ける、配置指示手段を押すとサブメニューが表示され、サブメニューから選択するなどの方法でも構わない。
【００３５】
このように、一条件下に複数の配置情報があり、配置指示手段１０４の指示で順番に記憶させた配置を変えることができるので、操作構造を簡単にでき、また操作自体も簡単にできる。また、コンテンツを配置した条件だけでなく、配置を示す情報（図７では「朝１」などの数字部分）も表示するので、利用者はその条件下に複数の配置情報があることが分ると共に、現在どの配置が表示されているかが分る。
【００３６】
＜実施例３＞
図４においては条件が変わるたびに配置指示手段の表示を変更したが、ある条件を満たしたときに配置の変更を利用者に通知することも可能である。図８は、実施例３におけるコンテンツ配置変更通知を示す図である。図４における（ａ）朝；６：００〜１２：００から（ｂ）昼；１２：００〜１８：００にコンテンツ配置が変わるときに、図８のようにダイアログ１２０を表示して利用者に変更を通知し、変更するか否かの確認をする。また、変更する通知だけの場合は、ＬＥＤなど通知用の表示装置を別途設けてもよいし、ブザーや音声などの音による通知でもよい。また、図８では利用者に対して配置を変更するかどうかを確認しているが、通知後一定時間をおいて自動的に配置を変更してもよい。
【００３７】
このように、コンテンツの配置変更を行うときに、利用者に変更する旨の通知を行うので、誤操作や誤動作などが原因でコンテンツの配置が変更されたなどの誤解を防ぐことができる。さらに図８のダイアログ１２０のように、利用者に変更するか否かの確認もできれば、利用者が変更を望まない場合にも対処できる。
【００３８】
＜実施例４＞
図９は、実施例４における編集中のコンテンツの表示を示す図である。実施例４においては、手動／自動での配置変更時に、保存されてないコンテンツなど閉じることができなかったコンテンツについて、視認できるようにする。
【００３９】
ボタン押下や上記手法による配置変更においては、表示されているコンテンツを終了する必要があるが、編集中のコンテンツなどで終了が出来ない場合、記憶されている配置情報と異なる配置になる場合がある。この際には、編集中のコンテンツなど配置情報と異なるコンテンツについては、アイコン表示や、コンテンツの表示枠を違う色にするなどにより、他のコンテンツと区別してもよい。例えば、昼の条件で表示されるコンテンツが図９（ａ）のようにコンテンツＡ１１４、コンテンツＢ１１５、コンテンツＣ１１６の３種類、夜の条件で表示されるコンテンツが図９（ｂ）のようにコンテンツＤ１１７、コンテンツＥ１１８の２種類とする。通常、夜の時点で配置指示を行った場合、コンテンツＡ，Ｂ，Ｃが終了した上で、コンテンツＤ，Ｅが表示され、図９（ｂ）のようになるが、コンテンツＡが編集中であった場合、図９（ｃ）のようにコンテンツＡ１１４、コンテンツＤ１１７、コンテンツＥ１１８が表示される。この例では、コンテンツＡ１１４が編集中で通常表示されないコンテンツであることを示すために、表示枠を破線で表示している。なお、編集中であることを示すにはこれに限定するわけではなく、例えば、色を変えたり、表示コンテンツを点滅させたり、「編集中」などの文字を表示させたりしてもよい。
【００４０】
なお、編集などの処理に限らず、コンテンツの表示配置が、記憶されている配置情報と異なった場合は、そのコンテンツに対しては、それが分るように、記憶されている配置情報どおりに表示されているコンテンツとは異なる表示とする。
【００４１】
このように表示することで、記憶されている配置情報と異なるコンテンツを簡単に認識することができる。
【００４２】
＜実施例５＞
図１０は、実施例５におけるコンテンツ配置変更を示す図である。
図１０（ａ）において、表示手段１０７の画面には、夜のコンテンツが表示されている。利用者が配置指示手段１０４を押したとき、時刻が１８：００〜２４：００であって、図５のフローチャートに従って、コンテンツ表示装置１００が処理を行った結果である。図４（ｃ）と同じ画面である。コンテンツＤ１１７と、傾きを持ったコンテンツＥ１１８が表示されている。利用者は、コンテンツＥ１１８が傾いているのと、コンテンツＤ１１７と重なって、コンテンツＥ１１８が隠れたて見えない部分があるため、操作手段１０５を用いて、コンテンツＥ１１８の配置を修正したとする。その修正後の画面が図１０（ｂ）である。コンテンツＥ１１８を水平にし、コンテンツＤ１１７に隠れる部分がないように、サイズを縮小してコンテンツＤ１１７の下側に配置した。
【００４３】
コンテンツ表示装置１００は、コンテンツの配置変更があった場合、コンテンツＥ１１８の表示枠を破線で表示し、配置変更のコンテンツであることを示す。そして、所定時間が経過しても配置に変更がなければ、その配置が新たな配置として配置情報記憶手段１０２に記憶する。所定時間は、新しい配置として確定してよいと判断する時間であり、予めコンテンツ表示装置に設定されていてもよいし、利用者が設定してもよい。
【００４４】
配置変更したコンテンツの表示は、表示枠を破線に限るものではなく、色を変えたり、表示コンテンツを点滅させたり、配置していないコンテンツと区別して、配置変更しているコンテンツであることを利用者が認識できるようにする。
【００４５】
図１１は、実施例５におけるコンテンツの配置変更処理を示すフローチャートである。
図５のフローに従って、条件に応じた配置情報に基づいてコンテンツ表示をする。制御手段１０６は、利用者が操作手段１０５を用いてコンテンツの配置を変更したかを確認する（ステップＳ１１）。配置変更があった場合、配置変更したコンテンツをそれと分るように配置が変わらないコンテンツと区別した表示を行う（ステップＳ１２）。さらに配置変更があるかを確認して（ステップＳ１３）、配置変更があれば、ステップＳ１２に戻ってコンテンツを区別表示する。
【００４６】
配置変更がなければ、時間的に一番近い配置変更から所定時間経過しているかを判定し（ステップＳ１４）、所定時間経過していれば、新たな配置情報を配置情報記憶手段１０２に上書き保存する（ステップＳ１５）。所定時間経過していなければ、ステップＳ１３に戻る。
【００４７】
新たな配置情報として配置情報を配置情報記憶手段１０２に記憶すると、コンテンツは配置情報通りの配置となるので、通常のコンテンツ表示とする（ステップＳ１６）。
【００４８】
こうして、コンテンツ表示装置が、配置変更して所定時間経過したコンテンツ配置情報を新たな情報として配置情報記憶手段１０２に記憶するので、利用者は記憶操作をおこなう必要もなく、次からは新しい配置でコンテンツが表示される。
【００４９】
＜その他の実施例＞
また、本発明の目的は、以下のようにすることによって達成される。即ち、上述した実施形態の機能を実現するソフトウェアのプログラムコードを記録した記憶媒体（又は記録媒体）を、システム或いは装置に供給する。そして、そのシステム或いは装置の中央演算処理手段（ＣＰＵやＭＰＵ）が記憶媒体に格納されたプログラムコードを読み出し実行する。この場合、記憶媒体から読み出されたプログラムコード自体が上述した実施形態の機能を実現することになり、そのプログラムコードを記録した記憶媒体は本発明を構成することになる。
【００５０】
また、システム或いは装置の前記中央演算処理手段が読み出したプログラムコードを実行することにより、そのプログラムコードの指示に基づき、システム或いは装置上で稼働しているオペレーティングシステム（ＯＳ）等が実際の処理の一部又は全部を行う。その処理によって上述した実施形態の機能が実現される場合も含まれる。
【００５１】
更に、記憶媒体から読み出されたプログラムコードが、前記システム或いは装置に挿入された機能拡張カードや、接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれる。
【００５２】
本発明を前記記憶媒体に適用する場合、その記憶媒体には、先に説明したフローチャートに対応するプログラムコードが格納されることになる。
【００５３】
以上、本発明の好ましい実施形態について詳述したが、本発明は係る特定の実施形態に限定されるものではなく、特許請求の範囲に記載された本発明の要旨の範囲内において、種々の変形・変更が可能である。
【００５４】
＜本発明の特徴部分＞
本発明は、コンテンツの配置を選択するための条件と共に、コンテンツの配置情報を記憶する記憶手段と、コンテンツの配置表示の指示を出す配置指示手段と、その指示を受け、前記記憶手段に記憶されている前記条件に合致した配置情報に基づき、コンテンツを表示させる制御を行う制御手段と、を有することを特徴とするコンテンツ表示装置である。
【００５５】
本発明によれば、よく使うコンテンツについて、利用者が毎回表示位置を指定することなく、予め設定した条件に応じてコンテンツをいつも使っている配置位置に再現することができる。
【００５６】
前記制御手段は、表示されているコンテンツの前記条件を示す情報を表示することを特徴とする。
【００５７】
このことにより、コンテンツ配置が変化しても、配置変化した条件が利用者に示されるので、どういうことで変化したかが分る。
【００５８】
前記記憶手段は、一条件下で複数の配置情報を記憶し、前記配置指示手段からの指示により、前記記憶手段に記憶されている配置情報を順番に切り替えることを特徴とする。
【００５９】
一条件下に複数の配置があり、配置指示手段の指示で順番に記憶させた配置を変えることができるので、操作構造を簡単にでき、また操作自体も簡単にできる。また、コンテンツを配置した条件だけでなく、配置を示す情報も表示するので、利用者はどの配置かが分りやすい。
【００６０】
前記制御手段は、前記条件が変わる際に前記記憶手段に記憶されている配置情報に基づきコンテンツ配置を変更する場合、利用者に変更を通知することを特徴とする。
【００６１】
このように、コンテンツの配置変更を行うときに、利用者に変更の通知を行うので、誤操作や誤動作などが原因でコンテンツの配置が変更されたなどの誤解を防ぐことができる。さらに利用者に変更するか否かの確認もできれば、利用者が変更を望まない場合にも対処できる。
【００６２】
前記制御手段は、コンテンツの配置情報を変更した場合に、前記記憶手段に記憶されている配置情報と異なる配置となったコンテンツを、前記記憶手段に記憶されている配置情報と同じ配置のコンテンツとは異なる表示とすることを特徴とする。
【００６３】
このように表示することで、前記記憶手段に記憶されている配置情報と異なるコンテンツを簡単に認識することができる。
【００６４】
前記制御手段は、表示コンテンツの変更が行われた場合、前記記憶手段に記憶されている配置情報を変更されたコンテンツの配置情報に変更することを特徴とする。
【００６５】
こうして、コンテンツ表示装置が、配置変更して所定時間経過したコンテンツ配置情報を新たな情報として配置情報記憶手段に記憶するので、利用者は記憶操作をおこなう必要もなく、次からは新しい配置でコンテンツが表示される。
【００６６】
また、本発明は、コンテンツの配置を選択するための条件と共に、コンテンツの配置情報を記憶する記憶ステップと、コンテンツの配置表示の指示を出す配置指示ステップと、その指示を受け、前記記憶ステップにて記憶されている前記条件に合致した配置情報に基づき、コンテンツを表示させる制御を行う制御ステップと、を有することを特徴とするコンテンツ表示方法である。
【００６７】
また、本発明は、コンピュータに、前記ステップを実行させるためのプログラムである。
【符号の説明】
【００６８】
１００  コンテンツ表示装置
１０１  格納手段
１０２  配置情報記憶手段
１０３  条件検出手段
１０４  配置指示手段
１０５  操作手段
１０６  制御手段
１０７  表示手段
【図１】
2015005005.tif 000003
【図２】
2015005005.tif 000004
【図３】
2015005005.tif 000005
【図４】
2015005005.tif 000006
【図５】
2015005005.tif 000007
【図６】
2015005005.tif 000008
【図７】
2015005005.tif 000009
【図８】
2015005005.tif 000010
【図９】
2015005005.tif 000011
【図１０】
2015005005.tif 000012
【図１１】
2015005005.tif 000013